【手続補正書】
【提出日】平成25年6月3日(2013.6.3)
【手続補正１】
【補正対象書類名】特許請求の範囲
【補正対象項目名】全文
【補正方法】変更
【補正の内容】
【特許請求の範囲】
【請求項１】
無線通信システムの受信端で自動再伝送要請（Ａｕｔｏｍａｔｉｃ  Ｒｅｐｅａｔ  Ｒｅｑｕｅｓｔ：ＡＲＱ）フィードバック・メッセージの生成方法において、
少なくとも一つのＡＲＱブロックのうち、最初にエラーが発生したＡＲＱブロック情報を含む第１のＡＲＱフィードバック情報を生成するステップと、
前記第１のＡＲＱフィードバック情報にエラーの発生如何を示していない少なくとも一つのＡＲＱブロックに対するエラーの発生如何を示す第２のＡＲＱフィードバック情報を生成するステップと、
前記第１のＡＲＱフィードバック情報と前記第２のＡＲＱフィードバック情報を含むＡＲＱフィードバック・メッセージを生成して送信端に伝送するステップと、
を含むことを特徴とする方法。
【請求項２】
前記第２のＡＲＱフィードバック情報を生成するステップは、前記第１のＡＲＱフィードバック情報にエラーの発生如何を示していない少なくとも一つのＡＲＱブロック及び前記最初にエラーが発生したＡＲＱブロックに対するエラーの発生如何を示すビットマップで第２のＡＲＱフィードバック情報を生成するステップを含むことを特徴とする請求項１に記載の方法。
【請求項３】
前記ＡＲＱフィードバック・メッセージは、ＡＲＱフィードバック・メッセージのタイプ情報、受信端の識別子情報、他のＡＲＱフィードバック・メッセージの存否を示す情報、ＡＲＱフィードバック・メッセージの構成情報、ビットマップ情報が最後のビットマップであるかを示す情報、前記第１のＡＲＱフィードバック情報に含まれたＡＲＱブロックのシーケンス番号を示す情報及び前記第１のＡＲＱフィードバック情報を利用してエラーの発生如何を示していない少なくとも一つのＡＲＱブロックのエラー発生如何を示すビットマップ情報のうち少なくとも一つを含むことを特徴とする請求項１または２に記載の方法。
【請求項４】
ＡＲＱフィードバックを行うＡＲＱブロックのうち、エラーが発生したＡＲＱブロックが存在するかを確認するステップと、
エラーが発生したＡＲＱブロックが存在しない場合、最後にエラーなしに受信成功したＡＲＱブロック情報を含む第３のＡＲＱフィードバック情報を生成するステップと、
前記第３のＡＲＱフィードバック情報を含むＡＲＱフィードバック・メッセージを生成して送信端に伝送するステップと、
をさらに含み、
エラーが発生したＡＲＱブロックが存在する場合、最初にエラーが発生したＡＲＱブロック情報を含む第１のＡＲＱフィードバック情報を生成することを特徴とする請求項１から３のいずれか一項に記載の方法。
【請求項５】
送信端でエラーが発生したＡＲＱブロックを少なくとも二つに分割して再伝送したＡＲＱ下位ブロックに対するＡＲＱフィードバックを行うかを確認するステップと、
前記ＡＲＱ下位ブロックに対するＡＲＱフィードバックを行う場合、ＡＲＱフィードバックを行っていない少なくとも二つのＡＲＱ下位ブロックのうち、最初にエラーが発生したＡＲＱ下位ブロック情報を含む第４のＡＲＱフィードバック情報を生成するステップと、
前記第４のＡＲＱフィードバック情報にエラーの発生如何を示していない少なくとも一つのＡＲＱ下位ブロックに対するエラーの発生如何を示す第５のＡＲＱフィードバック情報を生成するステップと、
前記第４のＡＲＱフィードバック情報と前記第５のＡＲＱフィードバック情報を含むＡＲＱ下位ブロックに対するＡＲＱフィードバック・メッセージを生成するステップと、
前記ＡＲＱフィードバック・メッセージにＡＲＱ下位ブロックに対するＡＲＱフィードバック・メッセージを追加して送信端に伝送するステップと、
をさらに含み、
前記ＡＲＱ下位ブロックに対するＡＲＱフィードバックを行わない場合、前記第１のＡＲＱフィードバック情報及び前記第２のＡＲＱフィードバック情報を含むＡＲＱフィードバック・メッセージを生成して送信端に伝送することを特徴とする請求項１から４のいずれか一項に記載の方法。
【請求項６】
前記ＡＲＱ下位ブロックに対するＡＲＱフィードバック・メッセージは、ＡＲＱフィードバック・メッセージのタイプ、受信端の識別子情報、他のＡＲＱフィードバック・メッセージの存否を示す情報、エラーが発生したＡＲＱ下位ブロックを有するＡＲＱブロックの個数情報、エラーが発生したＡＲＱ下位ブロックを有するＡＲＱブロックの識別子情報、ＡＲＱフィードバック情報の構成情報、ビットマップ情報が最後のビットマップであるかを示す情報、前記第４のＡＲＱフィードバック情報に含まれるＡＲＱ下位ブロックのシーケンス番号を示す情報及び前記第４のＡＲＱフィードバック情報を利用してエラーの発生如何を示していない少なくとも一つのＡＲＱブロックのエラー発生如何を示すビットマップ情報のうち少なくとも一つを含むことを特徴とする請求項５に記載の方法。
【請求項７】
前記ＡＲＱフィードバック・メッセージは、前記ＡＲＱフィードバック・メッセージの構成情報と、ビットマップ情報が最後のビットマップであるかを示す情報とを同一のフィールド名で構成することを特徴とする請求項６に記載の方法。
【請求項８】
前記無線通信システムは、ＡＡＩ(Ａｄｖａｎｃｅｄ  Ａｉｒ  Ｉｎｔｅｒｆａｃｅ)システムを含み、
前記最初にエラーが発生したＡＲＱブロック情報は、ＡＲＱブロックのシーケンス番号(ＳＮ：Ｓｅｑｕｅｎｃｅ  Ｎｕｍｂｅｒ)を含み、
前記第２のＡＲＱフィードバック情報のＭＳＢ(Ｍｏｓｔ  Ｓｉｇｎｉｆｉｃａｎｔ  Ｂｉｔ)は、前記シーケンス番号によって確認されたＡＲＱブロックのＡＣＫまたはＮＡＣＫを表し、
前記第２のＡＲＱフィードバック情報のＭＳＢの以降に連続的なビットは、前記シーケンス番号によって確認されたＡＲＱブロックの以降に連続的なＡＲＱブロックのＡＣＫまたはＮＡＣＫを表し、
前記ＡＲＱフィードバック・メッセージは、情報要素(ＩＥ：Ｉｎｆｏｒｍａｔｉｏｎ  Ｅｌｅｍｅｎｔ)の形態に含まれ、
前記ＡＲＱフィードバック・メッセージの伝送は、ＭＡＣ層を利用し行うことを特徴とする請求項１から５のいずれか一項に記載の方法。
【請求項９】
無線通信システムの受信端でＡＲＱフィードバック・メッセージの生成装置において、
ＡＲＱブロックを受信する受信器と、
前記受信器を通じて送信端から受信したＡＲＱブロックのエラー発生如何を判断し、ＡＲＱフィードバックを行う時点を考慮して、送信端にＡＲＱフィードバックを行うように制御するＡＲＱ制御部と、
ＡＲＱフィードバックを行う場合、少なくとも一つのＡＲＱブロックのうち、最初にエラーが発生したＡＲＱブロック情報を含む第１のＡＲＱフィードバック情報と、前記第１のＡＲＱフィードバック情報にエラーの発生如何を示していない少なくとも一つのＡＲＱブロックに対するエラーの発生如何を示す第２のＡＲＱフィードバック情報を含むＡＲＱフィードバック・メッセージを生成するＡＲＱ制御メッセージ生成部と、
前記ＡＲＱフィードバック・メッセージを送信端に伝送する送信器と、
を備えることを特徴とする装置。
【請求項１０】
前記第２のＡＲＱフィードバック情報を生成するステップは、
前記第１のＡＲＱフィードバック情報にエラーの発生如何を示していない少なくとも一つのＡＲＱブロック及び前記最初にエラーが発生したＡＲＱブロックに対するエラーの発生如何を示すビットマップで第２のＡＲＱフィードバック情報を生成するステップを含むことを特徴とする請求項９に記載の装置。
【請求項１１】
前記ＡＲＱフィードバック・メッセージは、ＡＲＱフィードバック・メッセージのタイプ情報、受信端の識別子情報、他のＡＲＱフィードバック・メッセージの存否を示す情報、ＡＲＱフィードバック・メッセージの構成情報、ビットマップ情報が最後のビットマップであるかを示す情報、前記第１のＡＲＱフィードバック情報に含まれたＡＲＱブロックのシーケンス番号を示す情報及び前記第１のＡＲＱフィードバック情報を利用してエラーの発生如何を示していない少なくとも一つのＡＲＱブロックのエラー発生如何を示すビットマップ情報のうち少なくとも一つを含むことを特徴とする請求項９または１０に記載の装置。
【請求項１２】
前記ＡＲＱフィードバック・メッセージは、前記ＡＲＱフィードバック・メッセージの構成情報と、ビットマップ情報が最後のビットマップであるかを示す情報とを同一のフィールド名で構成することを特徴とする請求項６、請求項９または請求項１１のいずれか一項に記載の装置。
【請求項１３】
前記ＡＲＱ制御メッセージ生成部は、エラーが発生したＡＲＱブロックが存在しない場合、最後にエラーなしに受信成功したＡＲＱブロック情報を含む第３のＡＲＱフィードバック情報を含むＡＲＱフィードバック・メッセージを生成し、
ＡＲＱフィードバックを行うＡＲＱブロックのうち、エラーが発生したＡＲＱブロックが存在する場合、前記最初にエラーが発生したＡＲＱブロック情報を含む第１のＡＲＱフィードバック情報及び前記第２のＡＲＱフィードバック情報を含むＡＲＱフィードバック・メッセージを生成することを特徴とする請求項９から１１のいずれか一項に記載の装置。
【請求項１４】
前記ＡＲＱ制御メッセージ生成部は、送信端でエラーが発生したＡＲＱブロックを少なくとも二つに分割して再伝送したＡＲＱ下位ブロックに対するＡＲＱフィードバックを行う場合、ＡＲＱフィードバックを行っていない少なくとも二つのＡＲＱ下位ブロックのうち、最初にエラーが発生したＡＲＱ下位ブロック情報を含む第４のＡＲＱフィードバック情報と、前記第４のＡＲＱフィードバック情報にエラーの発生如何を示していない少なくとも一つのＡＲＱ下位ブロックに対するエラーの発生如何を示す第５のＡＲＱフィードバック情報を含むＡＲＱ下位ブロックに対するＡＲＱフィードバック・メッセージを生成し、
前記ＡＲＱフィードバック・メッセージにＡＲＱ下位ブロックに対するＡＲＱフィードバック・メッセージを追加することを特徴とする請求項９から１１および１３のいずれか一項に記載の装置。
【請求項１５】
前記ＡＲＱ下位ブロックに対するＡＲＱフィードバック・メッセージは、ＡＲＱフィードバック・メッセージのタイプ、受信端の識別子情報、他のＡＲＱフィードバック・メッセージの存否を示す情報、エラーが発生したＡＲＱ下位ブロックを有するＡＲＱブロックの個数情報、エラーが発生したＡＲＱ下位ブロックを有するＡＲＱブロックの識別子情報、ＡＲＱフィードバック情報の構成情報、ビットマップ情報が最後のビットマップであるかを示す情報、前記第４のＡＲＱフィードバック情報に含まれるＡＲＱ下位ブロックのシーケンス番号を示す情報及び前記第４のＡＲＱフィードバック情報を利用してエラーの発生如何を示していない少なくとも一つのＡＲＱブロックのエラー発生如何を示すビットマップ情報のうち少なくとも一つを含むことを特徴とする請求項１４に記載の装置。
【請求項１６】
前記ＡＲＱフィードバック・メッセージは、前記ＡＲＱフィードバック・メッセージの構成情報と、ビットマップ情報が最後のビットマップであるかを示す情報とを同一のフィールド名で構成することを特徴とする請求項１５に記載の装置。
【請求項１７】
前記無線通信システムは、ＡＡＩ(Ａｄｖａｎｃｅｄ  Ａｉｒ  Ｉｎｔｅｒｆａｃｅ)システムを含み、
前記最初にエラーが発生したＡＲＱブロック情報は、ＡＲＱブロックのシーケンス番号(ＳＮ：Ｓｅｑｕｅｎｃｅ  Ｎｕｍｂｅｒ)を含み、
前記第２のＡＲＱフィードバック情報のＭＳＢ(Ｍｏｓｔ  Ｓｉｇｎｉｆｉｃａｎｔ  Ｂｉｔ)は、前記シーケンス番号によって確認されたＡＲＱブロックのＡＣＫまたはＮＡＣＫを表し、
前記第２のＡＲＱフィードバック情報のＭＳＢの以降に連続的なビットは、前記シーケンス番号によって確認されたＡＲＱブロックの以降に連続的なＡＲＱブロックのＡＣＫまたはＮＡＣＫを表し、
前記ＡＲＱフィードバック・メッセージは、情報要素(ＩＥ：Ｉｎｆｏｒｍａｔｉｏｎ  Ｅｌｅｍｅｎｔ)の形態に含まれ、
前記ＡＲＱフィードバック・メッセージの伝送は、ＭＡＣ層を利用し行うことを特徴とする請求項９から１１、１３、１４のいずれか一項に記載の装置。
【請求項１８】
無線通信システムの受信端でＡＲＱフィードバック・メッセージの生成方法において、
少なくとも一つのＡＲＱ下位ブロックのうち、最初にエラーが発生したＡＲＱ下位ブロック情報を含む第１のＡＲＱフィードバック情報を生成するステップと、
前記第１のＡＲＱフィードバック情報にエラーの発生如何を示していない少なくとも一つのＡＲＱ下位ブロックに対するエラーの発生如何を示す第２のＡＲＱフィードバック情報を生成するステップと、
前記第１のＡＲＱフィードバック情報及び前記第２のＡＲＱフィードバック情報を含むＡＲＱフィードバック・メッセージを生成して送信端に伝送するステップと、
を含むことを特徴とする方法。
【請求項１９】
前記第２のＡＲＱフィードバック情報は、前記第１のＡＲＱフィードバック情報にエラーの発生如何を示していない少なくとも一つのＡＲＱ下位ブロック及び前記最初にエラーが発生したＡＲＱ下位ブロックに対するエラーの発生如何を示すビットマップで第２のＡＲＱフィードバック情報を生成することを特徴とする請求項１８に記載の方法。
【請求項２０】
エラーが発生したＡＲＱ下位ブロックが存在するかを確認するステップと、
エラーが発生したＡＲＱ下位ブロックが存在しない場合、最後にエラーなしに受信成功したＡＲＱ下位ブロック情報を含む第３のＡＲＱフィードバック情報を生成するステップと、
前記第３のＡＲＱフィードバック情報を含むＡＲＱフィードバック・メッセージを生成して送信端に伝送するステップと、
をさらに含み、
エラーが発生したＡＲＱ下位ブロックが存在する場合、最初にエラーが発生したＡＲＱ下位ブロック情報を含む第１のＡＲＱフィードバック情報を生成することを特徴とする請求項１８または１９に記載の方法。
【請求項２１】
前記ＡＲＱフィードバック・メッセージは、前記ＡＲＱフィードバック・メッセージのタイプ情報、受信端の識別子情報、他のＡＲＱフィードバック・メッセージの存否を示す情報、エラーが発生したＡＲＱ下位ブロックを有するＡＲＱブロックの個数情報、エラーが発生したＡＲＱ下位ブロックを有するＡＲＱブロックの識別子情報、ＡＲＱフィードバック情報の構成情報、ビットマップ情報が最後のビットマップであるかを示す情報、前記第３のＡＲＱフィードバック情報に含まれるＡＲＱ下位ブロックのシーケンス番号を示す情報及び前記第３のＡＲＱフィードバック情報を利用してエラーの発生如何を示していない少なくとも一つのＡＲＱブロックのエラー発生如何を示すビットマップ情報のうち少なくとも一つを含むことを特徴とする請求項２０に記載の方法。
【請求項２２】
前記無線通信システムは、ＡＡＩ(Ａｄｖａｎｃｅｄ  Ａｉｒ  Ｉｎｔｅｒｆａｃｅ)システムを含み、
前記最初にエラーが発生したＡＲＱブロック情報は、ＡＲＱブロックのシーケンス番号(ＳＮ：Ｓｅｑｕｅｎｃｅ  Ｎｕｍｂｅｒ)を含み、
前記第２のＡＲＱフィードバック情報のＭＳＢ(Ｍｏｓｔ  Ｓｉｇｎｉｆｉｃａｎｔ  Ｂｉｔ)は、前記シーケンス番号によって確認されたＡＲＱブロックのＡＣＫまたはＮＡＣＫを表し、
前記第２のＡＲＱフィードバック情報のＭＳＢの以降に連続的なビットは、前記シーケンス番号によって確認されたＡＲＱブロックの以降に連続的なＡＲＱブロックのＡＣＫまたはＮＡＣＫを表し、
前記ＡＲＱフィードバック・メッセージは、情報要素(ＩＥ：Ｉｎｆｏｒｍａｔｉｏｎ  Ｅｌｅｍｅｎｔ)の形態に含まれ、
前記ＡＲＱフィードバック・メッセージの伝送は、ＭＡＣ層を利用し行うことを特徴とする請求項１８から２０のいずれか一項に記載の方法。
【請求項２３】
無線通信システムの受信端でＡＲＱフィードバック・メッセージの生成装置において、
ＡＲＱブロック及びＡＲＱ下位ブロックを受信する受信器と、
前記受信器を通じて送信端から受信されたＡＲＱブロック及びＡＲＱ下位ブロックのエラー発生如何を判断し、ＡＲＱフィードバックを行う時点を考慮して、送信端にＡＲＱフィードバックを行うように制御するＡＲＱ制御部と、
ＡＲＱ下位ブロックに対するフィードバックを行う場合、少なくとも一つのＡＲＱ下位ブロックのうち、最初にエラーが発生したＡＲＱ下位ブロック情報を含む第１のＡＲＱフィードバック情報と、前記第１のＡＲＱフィードバック情報にエラーの発生如何を示していない少なくとも一つのＡＲＱ下位ブロックに対するエラーの発生如何を示す第２のＡＲＱフィードバック情報と、を含むＡＲＱフィードバック・メッセージを生成するＡＲＱ制御メッセージ生成部と、
前記ＡＲＱフィードバック・メッセージを送信端に伝送する送信器と、
を備えることを特徴とする装置。
【請求項２４】
前記第２のＡＲＱフィードバック情報は、前記第１のＡＲＱフィードバック情報にエラーの発生如何を示していない少なくとも一つのＡＲＱ下位ブロック及び前記最初にエラーが発生したＡＲＱ下位ブロックに対するエラーの発生如何を示すビットマップで第２のＡＲＱフィードバック情報を生成することを特徴とする請求項２３に記載の装置。
【請求項２５】
前記ＡＲＱ制御メッセージ生成部は、ＡＲＱフィードバックを行うＡＲＱ下位ブロックのうち、エラーが発生したＡＲＱ下位ブロックが存在しない場合、最後にエラーなしに受信成功したＡＲＱ下位ブロック情報を含む第３のＡＲＱフィードバック情報を含むＡＲＱフィードバック・メッセージを生成し、
ＡＲＱフィードバックを行うＡＲＱ下位ブロックのうち、エラーが発生したＡＲＱ下位ブロックが存在する場合、前記最初にエラーが発生したＡＲＱ下位ブロック情報を含む第１のＡＲＱフィードバック情報及び前記第２のＡＲＱフィードバック情報を含むＡＲＱフィードバック・メッセージを生成することを特徴とする請求項２３または２４に記載の装置。
【請求項２６】
前記ＡＲＱフィードバック・メッセージは、前記ＡＲＱフィードバック・メッセージのタイプ情報、受信端の識別子情報、他のＡＲＱフィードバック・メッセージの存否を示す情報、エラーが発生したＡＲＱ下位ブロックを有するＡＲＱブロックの個数情報、エラーが発生したＡＲＱ下位ブロックを有するＡＲＱブロックの識別子情報、ＡＲＱフィードバック情報の構成情報、ビットマップ情報が最後のビットマップであるかを示す情報、前記第３のＡＲＱフィードバック情報に含まれるＡＲＱ下位ブロックのシーケンス番号を示す情報及び前記第３のＡＲＱフィードバック情報を利用してエラーの発生如何を示していない少なくとも一つのＡＲＱブロックのエラー発生如何を示すビットマップ情報のうち少なくとも一つを含むことを特徴とする請求項２５に記載の装置。
【請求項２７】
前記ＡＲＱフィードバック・メッセージは、前記ＡＲＱフィードバック・メッセージの構成情報と、ビットマップ情報が最後のビットマップであるかを示す情報とを同一のフィールド名で構成することを特徴とする請求項２６に記載の装置。
【請求項２８】
前記無線通信システムは、ＡＡＩ(Ａｄｖａｎｃｅｄ  Ａｉｒ  Ｉｎｔｅｒｆａｃｅ)システムを含み、
前記最初にエラーが発生したＡＲＱブロック情報は、ＡＲＱブロックのシーケンス番号(ＳＮ：Ｓｅｑｕｅｎｃｅ  Ｎｕｍｂｅｒ)を含み、
前記第２のＡＲＱフィードバック情報のＭＳＢ(Ｍｏｓｔ  Ｓｉｇｎｉｆｉｃａｎｔ  Ｂｉｔ)は、前記シーケンス番号によって確認されたＡＲＱブロックのＡＣＫまたはＮＡＣＫを表し、
前記第２のＡＲＱフィードバック情報のＭＳＢの以降に連続的なビットは、前記シーケンス番号によって確認されたＡＲＱブロックの以降に連続的なＡＲＱブロックのＡＣＫまたはＮＡＣＫを表し、
前記ＡＲＱフィードバック・メッセージは、情報要素(ＩＥ：Ｉｎｆｏｒｍａｔｉｏｎ  Ｅｌｅｍｅｎｔ)の形態に含まれ、
前記ＡＲＱフィードバック・メッセージの伝送は、ＭＡＣ層を利用し行うことを特徴とする請求項２３から２５のいずれか一項に記載の装置。